(57)【特許請求の範囲】
【請求項１】
ユーザ端末から、放送コンテンツのＴＶ（television）放送時のスポンサーの属性を示すＴＶ放送時スポンサー情報を取得するＴＶ放送時スポンサー情報取得手段と、
前記放送コンテンツのネット配信時のスポンサーの候補の属性を示すネット配信時スポンサー候補情報を記憶する記憶手段から、前記ネット配信時スポンサー候補情報を取得するネット配信時スポンサー候補情報取得手段と、
前記ＴＶ放送時スポンサー情報が示す前記ＴＶ放送時のスポンサーの属性と、前記ネット配信時スポンサー候補情報が示す前記候補の属性との照合結果に基づいて、前記ネット配信時のスポンサーとして前記候補を採用するか否かを決定し、
複数の前記候補各々に前記ネット配信時のスポンサーとして採用するか否かの決定内容を対応付けるとともに、採用しない旨の前記決定内容を対応付けた前記候補に前記照合結果に基づき生成される採用しない理由を対応付けた情報を出力し、採用する旨の前記決定内容を対応付けた前記候補の中の１つを前記ネット配信時のスポンサーとして選択する入力を受付けるネット配信時スポンサー決定手段と、
を有するスポンサー決定装置。
【請求項２】
請求項１に記載のスポンサー決定装置において、
前記ＴＶ放送時スポンサー情報取得手段は、前記ＴＶ放送時スポンサー情報として、前記ＴＶ放送時のスポンサーの業種を示す情報を取得し、
前記ネット配信時スポンサー候補情報取得手段は、前記ネット配信時スポンサー候補情報として、前記ネット配信時のスポンサーの候補の業種を示す情報を取得し、
前記ネット配信時スポンサー決定手段は、前記ＴＶ放送時のスポンサーと業種が異なるスポンサーを、前記ネット配信時のスポンサーとして決定するスポンサー決定装置。
【請求項３】
請求項２に記載のスポンサー決定装置において、
前記ＴＶ放送時スポンサー情報取得手段は、前記ＴＶ放送時スポンサー情報として、前記ＴＶ放送時のスポンサーを識別する情報をさらに取得し、
前記ネット配信時スポンサー候補情報取得手段は、前記ネット配信時スポンサー候補情報として、前記ネット配信時のスポンサーの候補を識別する情報をさらに取得し、
前記ネット配信時スポンサー決定手段は、前記ＴＶ放送時のスポンサーと業種が同じであっても、前記ＴＶ放送時のスポンサーと一致する場合、当該候補を前記ネット配信時のスポンサーとして決定するスポンサー決定装置。
【請求項４】
請求項１から３のいずれか１項に記載のスポンサー決定装置において、
複数の前記放送コンテンツの中から、１つを選択する入力を受付ける第１のユーザ入力受付手段と、
前記ネット配信時のスポンサーの前記候補の中から、１つを選択する入力を受付ける第２のユーザ入力受付手段と、
をさらに有し、
前記ＴＶ放送時スポンサー情報取得手段は、選択された前記放送コンテンツの前記ＴＶ放送時スポンサー情報を取得し、
前記ネット配信時スポンサー候補情報取得手段は、選択された前記候補の前記ネット配信時スポンサー候補情報を取得するスポンサー決定装置。
【請求項５】
請求項１から３のいずれか１項に記載のスポンサー決定装置において、
前記ＴＶ放送時スポンサー情報取得手段は、ユーザ端末から、ＣＭコンテンツの動画ファイルの要求、及び、前記ＴＶ放送時スポンサー情報を取得し、
当該ＴＶ放送時スポンサー情報に基づいて前記ネット配信時スポンサー決定手段により決定された前記ネット配信時のスポンサーのＣＭコンテンツの動画ファイルを、前記ユーザ端末に返信するＣＭ動画ファイル返信手段をさらに有するスポンサー決定装置。
【請求項６】
放送コンテンツの動画ファイルをサーバから取得して前記放送コンテンツを表示するとともに、所定のタイミングで、ＣＭコンテンツの動画ファイルの要求、及び、前記放送コンテンツのＴＶ放送時のスポンサーの属性を示すＴＶ放送時スポンサー情報を外部装置に送信するユーザ端末と、
前記ユーザ端末から前記要求及び前記ＴＶ放送時スポンサー情報を取得すると、当該ＴＶ放送時スポンサー情報が示す前記ＴＶ放送時のスポンサーの属性と、予め記憶手段に記憶されているネット配信時スポンサー候補情報が示す前記放送コンテンツのネット配信時のスポンサーの候補の属性との照合結果とに基づいて、前記ネット配信時のスポンサーとして前記候補を採用するか否かを決定し、複数の前記候補各々に前記ネット配信時のスポンサーとして採用するか否かの決定内容を対応付けるとともに、採用しない旨の前記決定内容を対応付けられた前記候補に前記照合結果に基づき生成される採用しない理由を対応付けた情報を出力し、採用する旨の前記決定内容を対応付けられた前記候補の中の１つを前記ネット配信時のスポンサーとして選択する入力を受付けることにより、前記ネット配信時のスポンサーを決定し、決定したスポンサーのＣＭコンテンツの動画ファイルを前記ユーザ端末に返信するスポンサー決定装置と、
を有する放送コンテンツ配信システム。
【請求項７】
コンピュータが、
ユーザ端末から、放送コンテンツのＴＶ放送時のスポンサーの属性を示すＴＶ放送時スポンサー情報を取得するＴＶ放送時スポンサー情報取得工程と、
前記放送コンテンツのネット配信時のスポンサーの候補の属性を示すネット配信時スポンサー候補情報を記憶する記憶手段から、前記ネット配信時スポンサー候補情報を取得するネット配信時スポンサー候補情報取得工程と、
前記ＴＶ放送時スポンサー情報が示す前記ＴＶ放送時のスポンサーの属性と、前記ネット配信時スポンサー候補情報が示す前記候補の属性との照合結果に基づいて、前記ネット配信時のスポンサーとして前記候補を採用するか否かを決定し、複数の前記候補各々に前記ネット配信時のスポンサーとして採用するか否かの決定内容を対応付けるとともに、採用しない旨の前記決定内容を対応付けた前記候補に前記照合結果に基づき生成される採用しない理由を対応付けた情報を出力し、採用する旨の前記決定内容を対応付けた前記候補の中の１つを前記ネット配信時のスポンサーとして選択する入力を受付けるネット配信時スポンサー決定工程と、
を実行するスポンサー決定方法。
【請求項８】
コンピュータを、
ユーザ端末から、放送コンテンツのＴＶ放送時のスポンサーの属性を示すＴＶ放送時スポンサー情報を取得するＴＶ放送時スポンサー情報取得手段、
前記放送コンテンツのネット配信時のスポンサーの候補の属性を示すネット配信時スポンサー候補情報を記憶する記憶手段から、前記ネット配信時スポンサー候補情報を取得するネット配信時スポンサー候補情報取得手段、
前記ＴＶ放送時スポンサー情報が示す前記ＴＶ放送時のスポンサーの属性と、前記ネット配信時スポンサー候補情報が示す前記候補の属性との照合結果に基づいて、前記ネット配信時のスポンサーとして前記候補を採用するか否かを決定し、複数の前記候補各々に前記ネット配信時のスポンサーとして採用するか否かの決定内容を対応付けるとともに、採用しない旨の前記決定内容を対応付けた前記候補に前記照合結果に基づき生成される採用しない理由を対応付けた情報を出力し、採用する旨の前記決定内容を対応付けた前記候補の中の１つを前記ネット配信時のスポンサーとして選択する入力を受付けるネット配信時スポンサー決定手段、
として機能させるためのプログラム。
【発明の詳細な説明】
【技術分野】
【０００１】
本発明は、スポンサー決定装置、放送コンテンツ配信システム、スポンサー決定方法、及び、プログラムに関する。
【背景技術】
【０００２】
特許文献１に関連する技術が開示されている。特許文献１には、インターネット等のネットワーク上での広告の配信を管理する広告配信管理装置が開示されている。当該広告配信管理装置は、将来の広告配信先として予測される複数の配信対象ユーザのユーザ属性を含む情報を記憶する予測情報記憶手段と、ユーザ属性を指定した複数の注文要求を取得する取得手段と、取得手段により新たな注文要求が取得される毎に、当該新たな注文要求を含む複数の注文要求に対して配信対象ユーザを割り当てる割当手段と、を有する。
【先行技術文献】
【特許文献】
【０００３】
【特許文献１】特開２０１４−１７９１３２号
【発明の概要】
【発明が解決しようとする課題】
【０００４】
民放局でＴＶ（television）放送される放送コンテンツにはスポンサーがつく。そして、放送コンテンツのテレビ放送中に、当該スポンサーのＣＭが放送される。
【０００５】
近年、テレビ局等により、テレビ放送された放送コンテンツを、インターネットなどのネットワーク上で配信（ネット配信）する試みがなされている。放送コンテンツをネット配信する場合にも、放送コンテンツ各々に、ネット配信時用のスポンサーがつく。そして、放送コンテンツの前、また、放送コンテンツの途中等、任意のタイミングで当該スポンサーのＣＭが表示される。
【０００６】
従来、テレビ放送時のスポンサーを考慮して、ネット配信時のスポンサーを決定するという思想、及び、当該思想を実現する手段がなかった。
【０００７】
本発明は、ネット配信される放送コンテンツのネット配信時のスポンサーを決定する新たな手段を提供することを課題とする。
【課題を解決するための手段】
【０００８】
本発明によれば、
ユーザ端末から、放送コンテンツのＴＶ（television）放送時のスポンサーの属性を示すＴＶ放送時スポンサー情報を取得するＴＶ放送時スポンサー情報取得手段と、
前記放送コンテンツのネット配信時のスポンサーの候補の属性を示すネット配信時スポンサー候補情報を記憶する記憶手段から、前記ネット配信時スポンサー候補情報を取得するネット配信時スポンサー候補情報取得手段と、
前記ＴＶ放送時スポンサー情報が示す前記ＴＶ放送時のスポンサーの属性と、前記ネット配信時スポンサー候補情報が示す前記候補の属性との照合結果に基づいて、前記ネット配信時のスポンサーとして前記候補を採用するか否かを決定し、
複数の前記候補各々に前記ネット配信時のスポンサーとして採用するか否かの決定内容を対応付けるとともに、採用しない旨の前記決定内容を対応付けた前記候補に前記照合結果に基づき生成される採用しない理由を対応付けた情報を出力し、採用する旨の前記決定内容を対応付けた前記候補の中の１つを前記ネット配信時のスポンサーとして選択する入力を受付けるネット配信時スポンサー決定手段と、
を有するスポンサー決定装置が提供される。
【０００９】
また、本発明によれば、
放送コンテンツの動画ファイルをサーバから取得して前記放送コンテンツを表示するとともに、所定のタイミングで、ＣＭコンテンツの動画ファイルの要求、及び、前記放送コンテンツのＴＶ放送時のスポンサーの属性を示すＴＶ放送時スポンサー情報を外部装置に送信するユーザ端末と、
前記ユーザ端末から前記要求及び前記ＴＶ放送時スポンサー情報を取得すると、当該ＴＶ放送時スポンサー情報が示す前記ＴＶ放送時のスポンサーの属性と、予め記憶手段に記憶されているネット配信時スポンサー候補情報が示す前記放送コンテンツのネット配信時のスポンサーの候補の属性との照合結果とに基づいて、前記ネット配信時のスポンサーとして前記候補を採用するか否かを決定し、複数の前記候補各々に前記ネット配信時のスポンサーとして採用するか否かの決定内容を対応付けるとともに、採用しない旨の前記決定内容を対応付けられた前記候補に前記照合結果に基づき生成される採用しない理由を対応付けた情報を出力し、採用する旨の前記決定内容を対応付けられた前記候補の中の１つを前記ネット配信時のスポンサーとして選択する入力を受付けることにより、前記ネット配信時のスポンサーを決定し、決定したスポンサーのＣＭコンテンツの動画ファイルを前記ユーザ端末に返信するスポンサー決定装置と、
を有する放送コンテンツ配信システムが提供される。
【００１０】
また、本発明によれば、
コンピュータが、
ユーザ端末から、放送コンテンツのＴＶ放送時のスポンサーの属性を示すＴＶ放送時スポンサー情報を取得するＴＶ放送時スポンサー情報取得工程と、
前記放送コンテンツのネット配信時のスポンサーの候補の属性を示すネット配信時スポンサー候補情報を記憶する記憶手段から、前記ネット配信時スポンサー候補情報を取得するネット配信時スポンサー候補情報取得工程と、
前記ＴＶ放送時スポンサー情報が示す前記ＴＶ放送時のスポンサーの属性と、前記ネット配信時スポンサー候補情報が示す前記候補の属性との照合結果に基づいて、前記ネット配信時のスポンサーとして前記候補を採用するか否かを決定し、複数の前記候補各々に前記ネット配信時のスポンサーとして採用するか否かの決定内容を対応付けるとともに、採用しない旨の前記決定内容を対応付けた前記候補に前記照合結果に基づき生成される採用しない理由を対応付けた情報を出力し、採用する旨の前記決定内容を対応付けた前記候補の中の１つを前記ネット配信時のスポンサーとして選択する入力を受付けるネット配信時スポンサー決定工程と、
を実行するスポンサー決定方法が提供される。
【００１１】
また、本発明によれば、
コンピュータを、
ユーザ端末から、放送コンテンツのＴＶ放送時のスポンサーの属性を示すＴＶ放送時スポンサー情報を取得するＴＶ放送時スポンサー情報取得手段、
前記放送コンテンツのネット配信時のスポンサーの候補の属性を示すネット配信時スポンサー候補情報を記憶する記憶手段から、前記ネット配信時スポンサー候補情報を取得するネット配信時スポンサー候補情報取得手段、
前記ＴＶ放送時スポンサー情報が示す前記ＴＶ放送時のスポンサーの属性と、前記ネット配信時スポンサー候補情報が示す前記候補の属性との照合結果に基づいて、前記ネット配信時のスポンサーとして前記候補を採用するか否かを決定し、複数の前記候補各々に前記ネット配信時のスポンサーとして採用するか否かの決定内容を対応付けるとともに、採用しない旨の前記決定内容を対応付けた前記候補に前記照合結果に基づき生成される採用しない理由を対応付けた情報を出力し、採用する旨の前記決定内容を対応付けた前記候補の中の１つを前記ネット配信時のスポンサーとして選択する入力を受付けるネット配信時スポンサー決定手段、
として機能させるためのプログラムが提供される。
【発明の効果】
【００１２】
本発明によれば、ネット配信される放送コンテンツのネット配信時のスポンサーを決定する新たな手段が実現される。
【図面の簡単な説明】
【００１３】
【図１】本実施形態の装置のハードウエア構成の一例を概念的に示す図である。
【図２】本実施形態の放送コンテンツ配信システムを示す機能ブロック図の一例である。
【図３】本実施形態のＴＶ放送時スポンサー情報の一部の一例を模式的に示す図である。
【図４】本実施形態のＴＶ放送時スポンサー情報の一部の一例を模式的に示す図である。
【図５】本実施形態のネット配信時スポンサー候補情報の一例を模式的に示す図である。
【図６】本実施形態の放送コンテンツアドレス情報の一例を模式的に示す図である。
【図７】本実施形態の管理装置の機能ブロック図の一例である。
【図８】本実施形態の動画コンテンツを説明するための図である。
【図９】本実施形態のコンテンツ情報を説明するための図である。
【図１０】本実施形態のスポンサー決定装置の機能ブロック図の一例である。
【図１１】本実施形態のＣＭ再生条件の一例を模式的に示す図である。
【図１２】本実施形態の放送コンテンツ配信システムの処理の流れの一例を示すフロー図である。
【図１３】本実施形態の放送コンテンツ配信システムの処理の流れの一例を示すフロー図である。
【図１４】本実施形態のスポンサー決定装置の機能ブロック図の一例である。
【図１５】本実施形態のスポンサー決定装置の処理の流れの一例を示すフロー図である。
【図１６】ネット配信される放送コンテンツと、各放送コンテンツのネット配信時スポンサーとを対応付けた情報の一例である。
【図１７】本実施形態のスポンサー決定装置の機能ブロック図の一例である。
【図１８】本実施形態のスポンサー決定装置の処理の流れの一例を示すフロー図である。
【発明を実施するための形態】
【００１４】
まず、本実施形態の装置のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インタフェイスを中心にハードウエアとソフトウエアの任意の組合せによって実現される。そして、その実現方法、装置にはいろいろな変形例があることは、当業者には理解されるところである。
【００１５】
図１は、本実施形態の装置のハードウエア構成の一例を概念的に示す図である。図示するように、本実施形態の装置は、例えば、バス１０Ａで相互に接続されるＣＰＵ１Ａ、ＲＡＭ（Random Access Memory）２Ａ、ＲＯＭ（Read Only Memory）３Ａ、表示制御部４Ａ、ディスプレイ５Ａ、操作受付部６Ａ、操作部７Ａ、通信部８Ａ、補助記憶装置９Ａ等を有する。なお、図示しないが、その他、外部機器と有線で接続される入出力インタフェイス、マイク、スピーカ等の他の要素を備えてもよい。
【００１６】
ＣＰＵ１Ａは各要素とともに装置のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。補助記憶装置９Ａは、例えばＨＤＤ（Hard Disc Drive）であり、大容量のデータを記憶可能である。
【００１７】
ディスプレイ５Ａは、例えば、表示装置（ＬＥＤ（Light Emitting Diode）表示器、液晶ディスプレイ、有機ＥＬ（Electro Luminescence）ディスプレイ等）である。ディスプレイ５Ａは、タッチパッドと一体になったタッチパネルディスプレイであってもよい。表示制御部４Ａは、ＶＲＡＭ（Video RAM）に記憶されたデータを読み出し、読み出したデータに対して所定の処理を施した後、ディスプレイ５Ａに送って各種画面表示を行う。操作受付部６Ａは、操作部７Ａを介して各種操作を受付ける。操作部７Ａは、操作キー、操作ボタン、スイッチ、ジョグダイヤル、タッチパネルディスプレイ、キーボードなどを含む。通信部８Ａは、有線及び／または無線で、インターネット、ＬＡＮ（Local Area Network）等のネットワークに接続し、他の電子機器と通信する。
【００１８】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。また、複数の装置間で送受信される各種情報（放送コンテンツ特定情報、ＣＭ特定情報等）は、各情報が示す所定の内容の同一性が維持されていればよく、複数の装置内で転送される途中でその構成が変形等されてもよい。
【００１９】
＜第１の実施形態＞
まず、図２の機能ブロック図を用いて、本実施形態の放送コンテンツ配信システムの全体像を説明する。放送コンテンツ配信システムは、管理装置２０と、本編配信装置３０と、第１のＣＭ配信装置４０と、第２のＣＭ配信装置５０と、設定装置７０とを有する。なお、第２のＣＭ配信装置５０を有さない構成としてもよい。図２においては、管理装置２０、本編配信装置３０、第１のＣＭ配信装置４０、第２のＣＭ配信装置５０及び設定装置７０を別々に表示し、これらが論理的に分かれていることを示しているが、これらの装置の一部又は全部が物理的に一体となり、１つの装置で構成されていてもよい。
【００２０】
これらの装置及びユーザ端末１０は、例えばネットワーク６０を介して互いに通信を行うことができる。なお、一部の装置間の通信は、近距離無線通信や、ケーブルを介した通信等とすることもできる。
【００２１】
以下、本実施形態の放送コンテンツ配信システムにおける各装置の役割を簡単に説明する。
【００２２】
ユーザ端末１０は、放送コンテンツを視聴するユーザに使用される端末であり、例えば、ＰＣ（Personal Computer）、スマートフォン、タブレット端末、ネットワーク接続機能を有するテレビ、ゲーム機等が該当する。なお、ここでの例示に限定されない。ユーザ端末１０は、ユーザ操作に応じて所定の装置と通信し、動画コンテンツ（放送コンテンツやＣＭコンテンツ）を取得する機能、及び、取得した動画コンテンツをディスプレイに表示する機能を有する。
【００２３】
設定装置７０は、放送コンテンツのネット配信に関する所定の情報のユーザ入力を受付ける。ネット配信を管理するオペレータが設定装置７０を操作し、所定の情報を入力する。例えば、テレビ放送された複数の放送コンテンツの中からネット配信する放送コンテンツを決定する入力、各放送コンテンツをネット配信する期間を設定する入力、各放送コンテンツのＴＶ放送時のスポンサーに関する情報（ＴＶ放送時スポンサー情報）の入力、ネット配信時のスポンサー候補に関する情報（ネット配信時スポンサー候補情報）の入力等を受付ける。これらの情報の一部又は全部は、任意の通信手段で、管理装置２０、第１のＣＭ配信装置４０、第２のＣＭ配信装置５０等に送信されてもよい。詳細は、以下で説明する。
【００２４】
管理装置２０は、放送コンテンツ及びＣＭコンテンツを含む動画コンテンツの配信を管理する。管理装置２０は、例えば、現在ネット配信中の放送コンテンツの一覧情報をユーザ端末１０に提供する機能や、放送コンテンツの視聴要求をユーザ端末１０から受付ける機能等を有する。
【００２５】
本編配信装置３０は、放送コンテンツの動画ファイルを配信する。本編配信装置３０は、ユーザ端末１０からの要求に応じて所定の動画ファイルを返信する機能を有する。動画ファイルの配信方法としては、ストリーミング配信、ダウンロード配信、プログレッシブ配信等、様々な方法を採用できる。
【００２６】
第１のＣＭ配信装置４０は、第１のＣＭ管理者が管理するＣＭコンテンツの動画ファイルを配信する。第１のＣＭ管理者は、例えば、テレビ局である。本実施形態の第１のＣＭ配信装置４０は、ユーザ端末１０からの要求に応じて、返信するＣＭコンテンツを決定する。そして、本実施形態の第１のＣＭ配信装置４０は、決定したＣＭコンテンツの動画ファイルをユーザ端末１０に返信する。動画ファイルの配信方法としては、ストリーミング配信、ダウンロード配信、プログレッシブ配信等、様々な方法を採用できる。
【００２７】
第２のＣＭ配信装置５０は、第２のＣＭ管理者が管理するＣＭコンテンツの動画ファイルを配信する。第２のＣＭ管理者は、例えば、インターネット広告を管理するいわゆるメディアレップである。第２のＣＭ配信装置５０は、ユーザ端末１０からの要求に応じて、返信するＣＭコンテンツを決定する。そして、第２のＣＭ配信装置５０は、決定したＣＭコンテンツの動画ファイルをユーザ端末１０に返信する。動画ファイルの配信方法としては、ストリーミング配信、ダウンロード配信、プログレッシブ配信等、様々な方法を採用できる。
【００２８】
ここで、本実施形態の放送コンテンツ配信システムが配信する動画コンテンツの構成について説明する。上述の通り、動画コンテンツは、放送コンテンツと、ＣＭコンテンツとを含む。図８に示すように、１つの動画コンテンツは、ＣＭコンテンツ（番組ＣＭ、スポットＣＭ）及び放送コンテンツ（本編１、本編２）を複数含み、これらが所定の順に表示される（図の場合、左から順に）。
【００２９】
１つの動画コンテンツは、複数の動画ファイルで構成される。ＣＭコンテンツ（番組ＣＭ、スポットＣＭ）及び放送コンテンツ（本編１、本編２）各々は別の動画ファイルとして、本編配信装置３０、第１のＣＭ配信装置４０及び第２のＣＭ配信装置５０に管理されている。そして、ユーザ端末１０は、１つの動画コンテンツを再生中、これら複数の装置から取得した複数の動画ファイルを連続的に実行することで、ＣＭコンテンツ（番組ＣＭ、スポットＣＭ）及び放送コンテンツ（本編１、本編２）を所定の順に表示する。
【００３０】
図示する「番組ＣＭ」は、第１のＣＭ管理者（例：テレビ局）が管理するＣＭコンテンツであり、第１のＣＭ配信装置４０により配信される。図示する「スポットＣＭ」は、第２のＣＭ管理者（例：メディアレップ）が管理するＣＭコンテンツであり、第２のＣＭ配信装置５０により配信される。図示する「本編」は、放送コンテンツそのものであり、本編配信装置３０により配信される。
【００３１】
次に、各装置の構成について詳細に説明する。
【００３２】
まず、設定装置７０について説明する。設定装置７０は、放送コンテンツのネット配信に関する各種情報の入力を受付ける。そして、設定装置７０は、入力された各種情報を記憶装置に記憶する。
【００３３】
例えば、設定装置７０は、放送コンテンツのＴＶ放送時のスポンサーの属性を示すＴＶ放送時スポンサー情報の入力を受付けてもよい。図３及び図４に、ＴＶ放送時スポンサー情報の一例を模式的に示す。図３の情報では、放送コンテンツ名の一覧が記載されている。また、図３の情報では、放送コンテンツ名各々に、ＴＶ放送時のスポンサー名（ＴＶ放送時スポンサー名）が対応付けられている。図４の情報では、スポンサー毎に、属性情報が対応付けられている。図３及び図４に示すＴＶ放送時スポンサー情報によれば、放送コンテンツ「クイズ○×△」のＴＶ放送時のスポンサーは「Ａ社」であり、その属性は、業種「食品」、グループ会社「ａ社、ａｂ社等」等であることが分かる。なお、ＴＶ放送時スポンサー情報は、スポンサーの属性として、その他の項目を含んでもよい。
【００３４】
その他、設定装置７０は、放送コンテンツのネット配信時のスポンサー候補の属性を示すネット配信時スポンサー候補情報の入力を受付けてもよい。図５に、ネット配信時スポンサー候補情報の一例を模式的に示す。図５の情報では、ネット配信時のスポンサー候補名の一覧が記載されている。また、スポンサー候補各々に対応付けて、契約期間（ＣＭをネット配信する期間）等が示されている。また、スポンサー候補各々に対応付けて、業種やグループ会社等の属性情報が示されている。なお、ネット配信時スポンサー候補情報は、スポンサー候補の属性として、その他の項目を含んでもよい。
【００３５】
その他、設定装置７０は、ネット配信時のスポンサー候補各々のＣＭ素材名（ＣＭコンテンツ名）、各ＣＭ素材のターゲット層、各ＣＭ素材の希望再生時間等のＣＭ再生条件の入力を受付けてもよい。図１１に、ＣＭ再生条件の一例を模式的に示す。図１１の情報では、ネット配信時のスポンサー候補の名称と、スポンサー候補各々の１つ又は複数のＣＭ素材の名称（ＣＭ素材名）と、各ＣＭ素材のターゲット層と、各ＣＭ素材の希望再生時間等が互いに対応付けられている。
【００３６】
その他、設定装置７０は、各放送コンテンツの動画ファイルの格納場所（アドレス情報）を示す情報（放送コンテンツアドレス情報）の入力を受付けてもよい。図６に、放送コンテンツアドレス情報の一例を模式的に示す。図６の情報では、各放送コンテンツの各動画ファイルの名称と、各動画ファイルのアドレス情報とが対応付けられている。
【００３７】
次に、図７を用いて管理装置２０の構成を説明する。図示するように、管理装置２０は、視聴要求受信部２１と、返信部２２とを有する。
【００３８】
視聴要求受信部２１は、動画コンテンツの視聴要求をユーザ端末１０から受信する。動画コンテンツは、放送コンテンツ、及び、ＣＭコンテンツを含む。
【００３９】
例えば、視聴要求受信部２１は、ユーザ端末１０からの要求に応じて、動画コンテンツの視聴要求を受付けるための情報を返信する。動画コンテンツの視聴要求を受付けるための情報は、例えば、動画コンテンツの視聴要求を受付けるように構成されたウェブページである。ユーザ端末１０は、受信した当該情報をディスプレイに表示する。
【００４０】
上記情報を表示した表示画面においては、例えば、視聴可能な１つ又は複数の放送コンテンツの属性情報（例：サムネイル画像、番組名、テレビ放送日、出演者、放送コンテンツの長さ等）が表示される。そして、ユーザ端末１０は、その中から、視聴対象として１つを選択する入力を受付ける。ユーザ端末１０は、１つを選択するユーザ入力を受付けると、選択された放送コンテンツを特定する情報（以下、放送コンテンツ特定情報）を含む視聴要求を管理装置２０に送信する。
【００４１】
視聴要求受信部２１は、例えばこのようにしてユーザ端末１０から送信されてきた視聴要求を受信する。上述の通り、視聴要求には、放送コンテンツ特定情報が含まれている。
【００４２】
返信部２２は、視聴要求受信部２１がユーザ端末１０から視聴要求を受信すると、本編配信装置３０のアドレス情報、第１のＣＭ配信装置４０のアドレス情報、及び、第２のＣＭ配信装置５０のアドレス情報を含むコンテンツ情報を返信する。コンテンツ情報は、ユーザが選択した放送コンテンツを特定する情報（放送コンテンツ特定情報）を含む。また、コンテンツ情報では、放送コンテンツ及びＣＭコンテンツを含む複数のコンテンツのプレイ順（表示順、再生順）が定められている。
【００４３】
また、コンテンツ情報は、ユーザが選択した放送コンテンツのＴＶ放送時のスポンサーの属性を示すＴＶ放送時スポンサー情報を含む。ＴＶ放送時スポンサー情報は、ＴＶ放送時のスポンサーを識別する情報（名称等）や、スポンサーの業種や、スポンサーのグループ会社を識別する情報（グループ会社の名称等）等の中の少なくとも１つを含む。例えば、設定装置７０が記憶するＴＶ放送時スポンサー情報（図３及び図４参照）、及び、視聴要求受信部２１が受信した放送コンテンツ特定情報を利用して、コンテンツ情報に所定のＴＶ放送時スポンサー情報を含めることができる。
【００４４】
コンテンツ情報は、例えばＨＴＭＬファイルや、そこから呼び出される他のファイル等で構成される。ユーザ端末１０がコンテンツ情報を実行すると、所定の放送コンテンツ表示画面がディスプレイに表示される。放送コンテンツ表示画面は、動画が表示されるエリア（動画表示エリア）を含む。ユーザ端末１０は、コンテンツ情報に含まれる上記アドレス情報を順に利用し、所定の順で本編配信装置３０、第１のＣＭ配信装置４０及び第２のＣＭ配信装置５０に動画ファイルを要求する。そして、ユーザ端末１０は取得した動画ファイルを実行し、動画表示エリアに動画を表示する。
【００４５】
ここで、図９を用いて、コンテンツ情報の概念を説明する。図９に示すように、コンテンツ情報は、ＴＶ放送時スポンサー情報を含む。
【００４６】
また、コンテンツ情報では、動画コンテンツに含まれる複数のコンテンツ（図の場合、番組ＣＭ、スポットＣＭ、本編１及び本編２）各々に対応付けて、アドレス情報が記載されている。アドレス情報は、各コンテンツを配信する装置、すなわち本編配信装置３０、第１のＣＭ配信装置４０及び第２のＣＭ配信装置５０のネットワーク６０上のアドレスである。
【００４７】
また、コンテンツ情報では、複数のコンテンツ（図の場合、番組ＣＭ、スポットＣＭ、本編１及び本編２）のプレイ順（表示順、再生順）、例えば、各コンテンツに対応付けられているアドレス情報の処理順が定められている。当該コンテンツ情報を実行したユーザ端末１０は、コンテンツ情報で定められている順にアドレス情報を利用し、動画ファイルを要求する。図９の例の場合、ユーザ端末１０は上から順にアドレス情報を利用する。
【００４８】
ここで、ユーザ端末１０が、コンテンツ情報を実行し、本編配信装置３０、第１のＣＭ配信装置４０及び第２のＣＭ配信装置５０から動画ファイルを取得する処理について説明する。
【００４９】
最初に、本編配信装置３０から動画ファイルを取得する処理について説明する。
【００５０】
コンテンツ情報（図９参照）には、ユーザが視聴対象として選択した放送コンテンツを特定する情報（放送コンテンツ特定情報）が含まれる。例えば、放送コンテンツの名前やＩＤが含まれてもよいし、又は、放送コンテンツの動画ファイルの格納先が含まれてもよい。ユーザ端末１０は、当該放送コンテンツ特定情報を利用して、本編配信装置３０に、放送コンテンツ特定情報で特定される放送コンテンツの動画ファイルを要求する。
【００５１】
例えば、コンテンツ情報に含まれる本編配信装置３０のアドレス情報（図９の例の場合、本編１及び本編２に対応付けられているアドレス情報）は、ホストマシンの名前、及び、ユーザが選択した放送コンテンツの動画ファイルのパスを含むＵＲＬであってもよい。この場合、ユーザ端末１０は、本編配信装置３０に、当該パスで特定される動画ファイルを要求する。そして、本編配信装置３０は、要求された特定の放送コンテンツの動画ファイルを検索し、ユーザ端末１０に返信する。返信部２２は、例えば、設定装置７０が入力を受付けた放送コンテンツアドレス情報（図６参照）を利用することで、コンテンツ情報に特定の動画ファイルのパスを含めることができる。なお、本編配信装置３０が複数の放送コンテンツの動画ファイルを記憶していてもよいし、本編配信装置３０からアクセス可能な他の外部装置が複数の放送コンテンツの動画ファイルを記憶していてもよい。
【００５２】
次に、ユーザ端末１０が、第１のＣＭ配信装置４０から動画ファイルを取得する処理について説明する。
【００５３】
ユーザ端末１０は、コンテンツ情報に含まれる第１のＣＭ配信装置４０のアドレス情報（図９の例の場合、番組ＣＭに対応付けられているアドレス情報）を利用して、第１のＣＭ配信装置４０にＣＭコンテンツの動画ファイルを要求する。例えば、コンテンツ情報に含まれる第１のＣＭ配信装置４０のアドレス情報は、ホストマシンの名前、及び、要求に応じて返信するＣＭコンテンツの動画ファイルを決定し、決定した動画ファイルを返信するよう構成されたファイルのパスを含むＵＲＬであってもよい。ユーザ端末１０は、例えば、このファイルに、ＴＶ放送時スポンサー情報を渡すとともに、動画ファイルを要求する。
【００５４】
次に、第１のＣＭ配信装置４０の構成について説明する。第１のＣＭ配信装置４０は、スポンサー決定装置１００を含む。図１０に、スポンサー決定装置１００の機能ブロック図の一例を示す。図示するように、スポンサー決定装置１００は、ＴＶ放送時スポンサー情報取得部１０１と、ネット配信時スポンサー候補情報取得部１０２と、ネット配信時スポンサー決定部１０３とを有する。
【００５５】
図１７に、スポンサー決定装置１００の機能ブロック図の他の一例を示す。図示するように、スポンサー決定装置１００は、ＴＶ放送時スポンサー情報取得部１０１と、ネット配信時スポンサー候補情報取得部１０２と、ネット配信時スポンサー決定部１０３と、ＣＭ動画ファイル返信部１０６とを有する。
【００５６】
ＴＶ放送時スポンサー情報取得部１０１は、ユーザ端末１０から、ＣＭコンテンツの動画ファイルの要求、及び、ＴＶ放送時スポンサー情報を取得する。
【００５７】
ネット配信時スポンサー候補情報取得部１０２は、放送コンテンツのネット配信時のスポンサー候補の属性を示すネット配信時スポンサー候補情報を取得する。例えば、ネット配信時スポンサー候補情報取得部１０２は、設定装置７０（図２参照）が入力を受付けたネット配信時スポンサー候補情報を取得してもよい。例えば、予め、第１のＣＭ配信装置４０内の記憶装置に、設定装置７０が入力を受付けたネット配信時スポンサー候補情報がコピーされていてもよい。そして、ネット配信時スポンサー候補情報取得部１０２は、当該記憶装置から、任意のネット配信時スポンサー候補情報を取得してもよい。
【００５８】
ネット配信時スポンサー決定部１０３は、ＴＶ放送時スポンサー情報取得部１０１が取得したＴＶ放送時スポンサー情報と、ネット配信時スポンサー候補情報取得部１０２が取得したネット配信時スポンサー候補情報とに基づいて、ネット配信時のスポンサーとして当該ネット配信時スポンサー候補（ネット配信時スポンサー候補情報取得部１０２が取得したネット配信時スポンサー候補情報に対応する候補）を採用するか否かを決定する。以下、ネット配信時スポンサー決定部１０３による処理例を説明する。
【００５９】
第１の処理例では、ネット配信時スポンサー決定部１０３は、まず、複数のスポンサー候補の中から、ネット配信時のスポンサーを決定する。その後、ネット配信時スポンサー決定部１０３は、決定したスポンサーのＣＭコンテンツの中から、返信するＣＭコンテンツを決定する。
【００６０】
例えば、ネット配信時スポンサー決定部１０３は、複数のスポンサー候補を任意の順で処理対象とし、処理対象のネット配信時スポンサー候補情報と、ＴＶ放送時スポンサー情報とに基づいて、当該処理対象をネット配信時のスポンサーとして採用するか否かを決定する。
【００６１】
例えば、ＴＶ放送時スポンサー情報取得部１０１は、ＴＶ放送時スポンサー情報として、ＴＶ放送時のスポンサーの「業種を示す情報」を取得してもよい。また、ネット配信時スポンサー候補情報取得部１０２は、ネット配信時スポンサー候補情報として、処理対象（ネット配信時のスポンサー候補）の「業種を示す情報」を取得してもよい。そして、ネット配信時スポンサー決定部１０３は、ＴＶ放送時のスポンサーと業種が異なる場合、当該処理対象をネット配信時のスポンサーとして決定してもよい。
【００６２】
その他、ＴＶ放送時スポンサー情報取得部１０１は、ＴＶ放送時スポンサー情報として、業種に加えて、「ＴＶ放送時のスポンサーを識別する情報（例：スポンサー名など）」をさらに取得してもよい。また、ネット配信時スポンサー候補情報取得部１０２は、ネット配信時スポンサー候補情報として、業種に加えて、「処理対象（ネット配信時のスポンサー候補）を識別する情報（例：スポンサー名等）」をさらに取得してもよい。そして、ネット配信時スポンサー決定部１０３は、ＴＶ放送時のスポンサーと業種が同じであっても、ＴＶ放送時のスポンサーと一致する場合（同じスポンサー）、当該処理対象をネット配信時のスポンサーとして決定してもよい。
【００６３】
その他、ＴＶ放送時スポンサー情報取得部１０１は、ＴＶ放送時スポンサー情報として、業種に加えて、「ＴＶ放送時のスポンサーのグループ会社を識別する情報（例：グループ会社名など）」をさらに取得してもよい。また、ネット配信時スポンサー候補情報取得部１０２は、ネット配信時スポンサー候補情報として、業種に加えて、「処理対象（ネット配信時のスポンサー候補）を識別する情報（例：スポンサー名等）」をさらに取得してもよい。そして、ネット配信時スポンサー決定部１０３は、ＴＶ放送時のスポンサーと業種が同じであっても、ＴＶ放送時のスポンサーのグループ会社である場合、当該処理対象をネット配信時のスポンサーとして決定してもよい。
【００６４】
ネット配信時スポンサー決定部１０３は、例えば上述のような処理によりネット配信時のスポンサーを決定すると、その後、決定したネット配信時のスポンサーのＣＭコンテンツの中から、任意のルールに基づき、ユーザ端末１０に返信するＣＭコンテンツを決定する。
【００６５】
第２の処理例では、ネット配信時スポンサー決定部１０３は、まず、複数のスポンサー候補の複数のＣＭコンテンツの中から、任意のルールに基づき、返信するＣＭコンテンツを仮決定する。その後、仮決定したＣＭコンテンツのスポンサーが、ＴＶ放送時のスポンサーとの間で所定の条件を満たすか判定する。満たさない場合、仮決定したＣＭコンテンツは採用せず、次のＣＭコンテンツを仮決定し、同様の判定を行う。一方、仮決定したＣＭコンテンツが上記所定の条件を満たす場合、ネット配信時スポンサー決定部１０３は、当該ＣＭコンテンツを、ユーザ端末１０に返信するＣＭコンテンツとして決定する。
【００６６】
例えば、ネット配信時スポンサー決定部１０３は、予め、図１１に示すようなＣＭ再生条件を保持しておいてもよい。そして、ネット配信時スポンサー決定部１０３は、ＣＭ再生条件を満たす（例：現在時刻が希望再生時間帯に含まれる）複数のＣＭコンテンツ（ＣＭ素材）を順に、ユーザ端末１０に返信するＣＭコンテンツとして仮決定する。そして、ネット配信時スポンサー決定部１０３は、仮決定したＣＭコンテンツのスポンサー（ネット配信時スポンサー候補）のネット配信時スポンサー候補情報と、ＴＶ放送時スポンサー情報とに基づき、当該ネット配信時のスポンサー候補がＴＶ放送時のスポンサーとの間で所定の条件を満たすか判定する。満たす場合、ネット配信時スポンサー決定部１０３は、仮決定したＣＭコンテンツを、ユーザ端末１０に返信するＣＭコンテンツとして決定する。満たさない場合、ネット配信時スポンサー決定部１０３は、次のＣＭコンテンツを仮決定し、同様の処理を繰り返す。
【００６７】
図１７に示されるＣＭ動画ファイル返信部１０６は、ネット配信時スポンサー決定部１０３により決定されたネット配信時のスポンサーのＣＭコンテンツの動画ファイルを、ユーザ端末１０に返信する。
【００６８】
次に、ユーザ端末１０が、第２のＣＭ配信装置５０から動画ファイルを取得する処理について説明する。
【００６９】
ユーザ端末１０は、コンテンツ情報に含まれる第２のＣＭ配信装置５０のアドレス情報（図９の例の場合、スポットＣＭに対応付けられているアドレス情報）を利用して、第２のＣＭ配信装置５０にＣＭコンテンツの動画ファイルを要求する。例えば、コンテンツ情報に含まれる第２のＣＭ配信装置５０のアドレス情報は、ホストマシンの名前、及び、要求に応じて返信するＣＭコンテンツの動画ファイルを決定し、決定した動画ファイルを返信するよう構成されたファイルのパスを含むＵＲＬであってもよい。ユーザ端末１０は、例えば、このファイルに、ＴＶ放送時スポンサー情報を渡すとともに、動画ファイルを要求する。
【００７０】
次に、第２のＣＭ配信装置５０の構成について説明する。第２のＣＭ配信装置５０は、スポンサー決定装置１００を含む。第２のＣＭ配信装置５０が含むスポンサー決定装置１００の構成は、第１のＣＭ配信装置４０が含む上述したスポンサー決定装置１００（図１０及び図１７参照）と同様である。
【００７１】
次に、図１２及び図１３を用いて、本実施形態の放送コンテンツ配信システム及びユーザ端末１０の処理の流れの一例を説明する。
【００７２】
まず、図１２に示すように、ユーザ端末１０は、ユーザから、所定の動画コンテンツを視聴する要求を受付ける（Ｓ２０）。
【００７３】
例えば、ユーザ端末１０を操作するユーザは、所定のウェブページ（例：各放送局のホームページや、放送コンテンツの配信を管理している会社のホームページ等）から、「動画コンテンツの視聴要求を受付けるための情報（例：ウェブページ）」を要求する。管理装置２０は当該要求に応じ、要求された情報（例：ウェブページ）を返信する。
【００７４】
ユーザ端末１０は、受信した情報をディスプレイに表示する。当該情報の表示画面においては、例えば、視聴可能な１つ又は複数の放送コンテンツの属性情報（例：サムネイル画像、番組名、テレビ放送日、出演者、放送コンテンツの長さ等）が表示される。ユーザ端末１０は、その中から、視聴対象として１つを選択する入力をユーザから受付ける。
【００７５】
Ｓ２０で視聴要求を受付けたユーザ端末１０は、選択された動画コンテンツの視聴要求を管理装置２０に送信する（Ｓ２１）。当該視聴要求には、選択された放送コンテンツを特定する放送コンテンツ特定情報が含まれる。
【００７６】
管理装置２０は、Ｓ２１の視聴要求に応じ、放送コンテンツ特定情報で特定される放送コンテンツに対応したコンテンツ情報、すなわち、当該放送コンテンツを特定する情報を含むコンテンツ情報を返信する（Ｓ２２）。コンテンツ情報には、本編配信装置３０、第１のＣＭ配信装置４０及び第２のＣＭ配信装置５０のアドレス情報、各コンテンツ（ＣＭ、本編）のプレイ順、放送コンテンツ特定情報、放送コンテンツのＴＶ放送時のスポンサーの属性を示すＴＶ放送時スポンサー情報等が含まれる。
【００７７】
ユーザ端末１０は、受信したコンテンツ情報を実行し、放送コンテンツ表示画面をディスプレイに表示する。放送コンテンツ表示画面は、動画が表示される動画表示エリアを含む。また、ユーザ端末１０は、コンテンツ情報に含まれる本編配信装置３０、第１のＣＭ配信装置４０及び第２のＣＭ配信装置５０のアドレス情報を順に利用して、これら装置から動画ファイルを取得する。そして、ユーザ端末１０は、取得した動画ファイルを実行し、動画表示エリアに動画を表示する（Ｓ２３）。
【００７８】
次に、図１３を用いて、ユーザ端末１０によるＳ２３の処理について説明する。
【００７９】
ユーザ端末１０は、受信したコンテンツ情報（図９参照）で定められる順に、コンテンツ情報に含まれるアドレス情報を用いて、所定の装置（動画配信サーバ）に動画ファイルを要求する。ユーザ端末１０が、本編配信装置３０、第１のＣＭ配信装置４０及び第２のＣＭ配信装置５０から動画ファイルを取得する処理の詳細は上述したので、ここでは省略する。
【００８０】
図１３の場合、まず、ユーザ端末１０は、最初のアドレス情報（図中、番組ＣＭに対応付けられたアドレス情報）を用いて、第１のＣＭ配信装置４０に動画ファイルを要求する。当該要求には、ＴＶ放送時スポンサー情報が含まれる。すると、第１のＣＭ配信装置４０は、ＴＶ放送時スポンサー情報に基づき、返信するＣＭコンテンツを決定する。そして、第１のＣＭ配信装置４０は、決定したＣＭコンテンツの動画ファイルを返信する。
【００８１】
第１のＣＭ配信装置４０から動画ファイルを受信したユーザ端末１０は、当該動画ファイルを実行し、動画表示エリアに番組ＣＭを表示する。
【００８２】
また、ユーザ端末１０は、任意のタイミングで、次のアドレス情報（図中、スポットＣＭに対応付けられたアドレス情報）を用いて、第２のＣＭ配信装置５０に動画ファイルを要求する。当該要求には、ＴＶ放送時スポンサー情報が含まれる。すると、第２のＣＭ配信装置５０は、ＴＶ放送時スポンサー情報に基づき、返信するＣＭコンテンツを決定する。そして、第２のＣＭ配信装置５０は、決定したＣＭコンテンツの動画ファイルを返信する。
【００８３】
第２のＣＭ配信装置５０から動画ファイルを受信したユーザ端末１０は、任意のタイミングで当該動画ファイルを実行し、番組ＣＭに続いて、スポットＣＭを動画表示エリアに表示する。
【００８４】
また、ユーザ端末１０は、任意のタイミングで、次のアドレス情報（図中、本編１に対応付けられたアドレス情報）を用いて、本編配信装置３０に動画ファイルを要求する。当該要求には、放送コンテンツを特定する情報（例：放送コンテンツの各動画ファイルのパス）が含まれる。すると、本編配信装置３０は、要求された特定の動画ファイルを検索し、ユーザ端末１０に返信する。
【００８５】
本編配信装置３０から動画ファイルを受信したユーザ端末１０は、任意のタイミングで当該動画ファイルを実行し、番組ＣＭ、スポットＣＭに続いて、本編１（放送コンテンツ）を動画表示エリアに表示する。
【００８６】
以降、ユーザ端末１０は、同様の処理を繰り返す。
【００８７】
以上説明した本実施形態によれば、第１のＣＭ配信装置４０及び第２のＣＭ配信装置５０は、ＴＶ放送時の放送コンテンツのスポンサーを考慮して、当該放送コンテンツのネット配信時のスポンサーや、ネット配信するＣＭコンテンツを決定することができる。例えば、ＴＶ放送時のスポンサーとネット配信時のスポンサーとが競合関係にある場合、いずれかからＣＭ配信を管理する管理者（例：ＴＶ局等）に対するクレームが発生する恐れがある。これに対し、本実施形態によれば、ＴＶ放送時のスポンサーと業種が異なる会社を、ネット配信時のスポンサーとできる。すなわち、ＴＶ放送時のスポンサーと業種が同じである会社を、ネット配信時のスポンサーとすることを回避できる。このため、上述のような不都合の発生を軽減できる。
【００８８】
また、ＴＶ放送時のスポンサーと業種が同じであっても、ＴＶ放送時のスポンサーと一致する場合（同じ会社）や、グループ会社である場合には、上述のようなクレームの恐れがない。本実施形態では、ＴＶ放送時のスポンサーと業種が同じであっても、ＴＶ放送時のスポンサーと一致する場合（同じ会社）や、グループ会社である場合には、ネット配信時のスポンサーとできる。このため、上述のようなクレームの恐れがないにも関わらす、ネット配信時のスポンサーから外すという不都合の発生を抑制できる。
【００８９】
ここで、本実施形態の変形例を説明する。当該変形例でも、同様の作用効果を実現できる。本実施形態の変形例では、管理装置２０が、図１０に示すスポンサー決定装置１００を備える。
【００９０】
そして、ＴＶ放送時スポンサー情報取得部１０１は、ユーザ端末１０から送信されてくる放送コンテンツ特定情報と、ＴＶ放送時スポンサー情報（図３及び図４参照）とを利用して、ユーザにより選択された放送コンテンツのＴＶ放送時スポンサーのＴＶ放送時スポンサー情報を取得することができる。ネット配信時スポンサー候補情報取得部１０２及びネット配信時スポンサー決定部１０３の構成は、上述の通りである。ネット配信時スポンサー決定部１０３は、ネット配信時のスポンサーを決定する処理、又は、ユーザ端末１０に返信するＣＭコンテンツを決定する処理を実行する。
【００９１】
ネット配信時スポンサー決定部１０３がネット配信時のスポンサー又はユーザ端末１０に返信するＣＭコンテンツを決定すると、管理装置２０は、（１）決定されたネット配信時のスポンサーを特定する情報、（２）決定されたＣＭコンテンツを特定する情報、の中の少なくとも１つをコンテンツ情報（図９参照）に含めて、ユーザ端末１０に送信する。
【００９２】
ユーザ端末１０は、ＣＭコンテンツの動画ファイルの要求とともに、上記（１）及び（２）の中の少なくとも１つを、第１のＣＭ配信装置４０及び第２のＣＭ配信装置５０の少なくとも一方に送信する。
【００９３】
（１）の情報を受信した第１のＣＭ配信装置４０及び第２のＣＭ配信装置５０の少なくとも一方は、当該情報で特定されるネット配信時のスポンサーのＣＭコンテンツの中から、任意のルールに基づき、ユーザ端末１０に返信するＣＭコンテンツを決定する。そして、決定したＣＭコンテンツの動画ファイルを返信する。
【００９４】
一方、（２）の情報を受信した第１のＣＭ配信装置４０及び第２のＣＭ配信装置５０の少なくとも一方は、当該情報で特定されるＣＭコンテンツの動画ファイルを、ユーザ端末１０に返信する。
【００９５】
＜第２の実施形態＞
第１の実施形態では、ユーザが視聴する放送コンテンツを選択した後に、その都度、選択された放送コンテンツのネット配信時スポンサーが決定されていた。これに対し、本実施形態では、各放送コンテンツのネット配信が開始される前の準備段階で、予め、各放送コンテンツのネット配信時スポンサーが決定される。そして、第１のＣＭ配信装置４０及び第２のＣＭ配信装置５０の少なくとも一方は、ユーザ端末１０からの動画ファイルの要求に対し、予め決定されたネット配信時スポンサーのＣＭコンテンツの動画ファイルを返信する。以下、詳細に説明する。
【００９６】
図１４に、本実施形態のスポンサー決定装置１００の機能ブロック図の一例を示す。図示するように、スポンサー決定装置１００は、ＴＶ放送時スポンサー情報取得部１０１と、ネット配信時スポンサー候補情報取得部１０２と、ネット配信時スポンサー決定部１０３と、第１のユーザ入力受付部１０４と、第２のユーザ入力受付部１０５と、を有する。本実施形態のスポンサー決定装置１００は、例えば、図２に示す管理装置２０、又は、設定装置７０等が備える。
【００９７】
第１のユーザ入力受付部１０４は、複数の放送コンテンツの中から１つを選択する入力を受付ける。例えば、第１のユーザ入力受付部１０４は、放送コンテンツ名の一覧が記載されている図３の情報を利用して、放送コンテンツ名の一覧をディスプレイに表示してもよい。そして、第１のユーザ入力受付部１０４は、表示した一覧の中から、１つを選択するユーザ入力を受付けてもよい。その他、第１のユーザ入力受付部１０４は、特定の放送コンテンツ名の直接入力を受付けてもよい。
【００９８】
ＴＶ放送時スポンサー情報取得部１０１は、例えば図３及び図４の情報を利用して、第１のユーザ入力受付部１０４が選択を受付けた放送コンテンツのＴＶ放送時のスポンサーの属性を示すＴＶ放送時スポンサー情報を取得する。
【００９９】
第２のユーザ入力受付部１０５は、ネット配信時のスポンサーの候補の中から、１つを選択する入力を受付ける。例えば、第２のユーザ入力受付部１０５は、ネット配信時のスポンサー候補の一覧が記載されている図５の情報を利用して、ネット配信時のスポンサー候補の一覧をディスプレイに表示してもよい。そして、第２のユーザ入力受付部１０５は、表示した一覧の中から、１つを選択するユーザ入力を受付けてもよい。その他、第２のユーザ入力受付部１０５は、特定のスポンサー候補の名称の直接入力を受付けてもよい。
【０１００】
ネット配信時スポンサー候補情報取得部１０２は、図５の情報を利用して、第２のユーザ入力受付部１０５が選択を受付けたネット配信時のスポンサーの候補の属性を示すネット配信時スポンサー候補情報を取得する。
【０１０１】
ネット配信時スポンサー決定部１０３は、ＴＶ放送時スポンサー情報取得部１０１が取得したＴＶ放送時スポンサー情報と、ネット配信時スポンサー候補情報取得部１０２が取得したネット配信時スポンサー候補情報とに基づいて、第２のユーザ入力受付部１０５が選択を受付けたスポンサー候補を、第１のユーザ入力受付部１０４が選択を受付けた放送コンテンツのネット配信時のスポンサーとして採用するか否かを決定する。決定手法は、第１の実施形態と同様である。
【０１０２】
ここで、変形例を説明する。第１のユーザ入力受付部１０４が複数の放送コンテンツの中から１つを選択する入力を受付けると、ＴＶ放送時スポンサー情報取得部１０１は、第１のユーザ入力受付部１０４が選択を受付けた放送コンテンツのＴＶ放送時のスポンサーの属性を示すＴＶ放送時スポンサー情報を取得する。また、スポンサー決定装置１００は、複数のネット配信時のスポンサー候補を表示（例：一覧表示）する。
【０１０３】
ネット配信時スポンサー候補情報取得部１０２は、ディスプレイに表示（例：一覧表示）されているネット配信時のスポンサー候補各々の属性を示すネット配信時スポンサー候補情報を取得する。そして、ネット配信時スポンサー決定部１０３は、ＴＶ放送時スポンサー情報取得部１０１が取得したＴＶ放送時スポンサー情報と、ネット配信時スポンサー候補情報取得部１０２が取得したネット配信時スポンサー候補情報とに基づいて、ディスプレイに表示（例：一覧表示）されているネット配信時のスポンサー候補各々に対して、スポンサーとして採用するか否かの判定を行う。
【０１０４】
その後、スポンサー決定装置１００は、ディスプレイにおいて、ネット配信時スポンサー決定部１０３による判定結果を表示する。例えば、スポンサー決定装置１００は、ネット配信時のスポンサー候補を表示（例：一覧表示）した画面において、採用すると判定された候補と、採用しないと判定された候補とを識別表示する。スポンサー決定装置１００は、さらに、採用しないと判定された候補各々に対応付けて、その理由（例：ＴＶ放送時スポンサーと業種が同一等）を表示してもよい。
【０１０５】
また、ネット配信時スポンサー決定部１０３は、表示（例：一覧表示）された候補の中の、採用すると判定した候補の中から、１つを選択するユーザ入力を受付けてもよい。そして、ネット配信時スポンサー決定部１０３は、選択された候補を、ネット配信時のスポンサーとして決定してもよい。
【０１０６】
ここで、図１５のフローチャートを用いて、本実施形態のスポンサー決定装置１００の処理の流れの一例を説明する。
【０１０７】
まず、第１のユーザ入力受付部１０４は、複数の放送コンテンツの中から、１つを選択するユーザ入力を受付ける（Ｓ３０）。その後、ＴＶ放送時スポンサー情報取得部１０１は、Ｓ３０で選択された放送コンテンツのＴＶ放送時のスポンサーの属性を示すＴＶ放送時スポンサー情報を取得する（Ｓ３１）。
【０１０８】
また、第２のユーザ入力受付部１０５は、ネット配信時のスポンサー候補の中から、１つを選択するユーザ入力を受付ける（Ｓ３２）。その後、ネット配信時スポンサー候補情報取得部１０２は、Ｓ３２で選択されたスポンサー候補の属性を示すネット配信時スポンサー候補情報を取得する（Ｓ３３）。
【０１０９】
その後、ネット配信時スポンサー決定部１０３は、Ｓ３１で取得されたＴＶ放送時スポンサー情報と、Ｓ３３で取得されたネット配信時スポンサー候補情報とに基づいて、Ｓ３２で選択されたスポンサー候補を、Ｓ３０で選択された放送コンテンツのネット配信時のスポンサーとするか否かを決定する（Ｓ３４）。
【０１１０】
ネット配信時のスポンサーとする場合（Ｓ３４のＹｅｓ）、スポンサー決定装置１００は、Ｓ３０で選択された放送コンテンツのネット配信時のスポンサーとして、Ｓ３２で選択されたスポンサー候補を登録する（Ｓ３７）。例えば、図１６に示すような、ネット配信される放送コンテンツと、各放送コンテンツのネット配信時スポンサーとを対応付けた情報に、決定された内容が登録される。
【０１１１】
一方、ネット配信時のスポンサーとしない場合（Ｓ３４のＮｏ）、スポンサー決定装置１００は、Ｓ３２で選択された候補を、Ｓ３０で選択された放送コンテンツのネット配信時のスポンサーにできない旨をユーザに通知する（Ｓ３５）。例えば、スポンサー決定装置１００は、ディスプレイにその旨を表示する。この際、スポンサー決定装置１００は、候補をスポンサーにできない理由（例：ＴＶ放送時スポンサーと業種が同一）を併せて表示してもよい。
【０１１２】
Ｓ３５の後、スポンサー決定装置１００は、続けて、他のスポンサー候補を選択するか否かの選択を受付ける（Ｓ３６）。選択を受付けない場合（Ｓ３６のＮｏ）、スポンサー決定装置１００は、処理を終了する。一方、選択を受付ける場合（Ｓ３６のＹｅｓ）、スポンサー決定装置１００は、Ｓ３２に戻って、同様の処理を繰り返す。
【０１１３】
ここで、図１８を用いて、上記処理の流れの変形例を説明する。図１５及び図１８を比べると、Ｓ３０及びＳ３１の処理と、Ｓ３２及びＳ３３の処理との順番が逆である。その他の処理は同じである。
【０１１４】
当該変形例の場合、まず、ネット配信時のスポンサー候補が選択される。その後、放送コンテンツが選択される。そして、Ｓ３６でＹｅｓの時、Ｓ３０に戻って、放送コンテンツを選択し直すこととなる。
【０１１５】
以上説明した本実施形態のスポンサー決定装置１００によれば、放送コンテンツのネット配信を開始する前に、当該放送コンテンツのＴＶ放送時のスポンサーを考慮して、ネット配信時のスポンサーを決定できる。そして、図１６に示すような、ネット配信される放送コンテンツと、各放送コンテンツのネット配信時スポンサーとを対応付けた情報を生成することができる。
【０１１６】
本実施形態の管理装置２０は、ユーザ端末１０から、視聴対象として選択された放送コンテンツを特定する放送コンテンツ特定情報を含む視聴要求を受信すると、図１６に示す情報を利用して、当該放送コンテンツのネット配信時のスポンサーを特定する。そして、当該ネット配信時のスポンサーを特定する情報（例：ネット配信時のスポンサーの名称）を含むコンテンツ情報をユーザ端末１０に返信する。
【０１１７】
ユーザ端末１０は、第１のＣＭ配信装置４０及び第２のＣＭ配信装置５０の少なくとも一方にＣＭの動画ファイルを要求する際、ネット配信時のスポンサーを特定する情報をこれらの装置に送信する。
【０１１８】
そして、第１のＣＭ配信装置４０及び第２のＣＭ配信装置５０の少なくとも一方は、受信したネット配信時のスポンサーを特定する情報で特定されるスポンサーのＣＭコンテンツの中から、任意のルールに基づき、ユーザ端末１０に返信するＣＭコンテンツを決定する。そして、決定したＣＭコンテンツの動画ファイルを、ユーザ端末１０に返信する。
【０１１９】
以上説明した本実施形態によれば、第１の実施形態と同様な作用効果を実現できる。また、放送コンテンツのネット配信を開始する前に、予めネット配信時のスポンサーを決定しておく本実施形態によれば、第１のＣＭ配信装置４０及び第２のＣＭ配信装置５０等の処理負担を軽減できる。結果、ユーザ端末１０からのＣＭの動画ファイルの要求受信から、ＣＭの動画ファイルの返信までの時間を短くできる。
【０１２０】
以上説明した第１及び第２の実施形態では、動画コンテンツ内で放送コンテンツが複数に分かれている場合（図８の例の場合、本編１及び本編２）、各々が異なる動画ファイルとして放送コンテンツ配信装置３０に管理される例を説明した。変形例として、放送コンテンツ配信装置３０は、それらを１つの動画ファイルとして管理してもよい。この場合、ユーザ端末１０は、放送コンテンツの動画ファイルを所定の停止位置（図８の例の場合、本編１の終了位置）まで再生したら停止し、所定のＣＭの動画ファイルを実行して所定のＣＭを再生する。そして、ＣＭの動画ファイルの再生が終了すると、再び、ユーザ端末１０は、放送コンテンツの動画ファイルを上記停止位置から再生することとなる。コンテンツ情報は、コンテンツ情報を実行したユーザ端末１０がこのような処理を実行するよう構成される。
【０１２１】
以下、参考形態の例を付記する。
１．  放送コンテンツのＴＶ放送時のスポンサーの属性を示すＴＶ放送時スポンサー情報を取得するＴＶ放送時スポンサー情報取得手段と、
前記放送コンテンツのネット配信時のスポンサーの候補の属性を示すネット配信時スポンサー候補情報を取得するネット配信時スポンサー候補情報取得手段と、
前記ＴＶ放送時スポンサー情報と、前記ネット配信時スポンサー候補情報とに基づいて、前記ネット配信時のスポンサーとして前記候補を採用するか否かを決定するネット配信時スポンサー決定手段と、
を有するスポンサー決定装置。
２．  １に記載のスポンサー決定装置において、
前記ＴＶ放送時スポンサー情報取得手段は、前記ＴＶ放送時スポンサー情報として、前記ＴＶ放送時のスポンサーの業種を示す情報を取得し、
前記ネット配信時スポンサー候補情報取得手段は、前記ネット配信時スポンサー候補情報として、前記ネット配信時のスポンサーの候補の業種を示す情報を取得し、
前記ネット配信時スポンサー決定手段は、前記ＴＶ放送時のスポンサーと業種が異なるスポンサーを、前記ネット配信時のスポンサーとして決定するスポンサー決定装置。
３．  ２に記載のスポンサー決定装置において、
前記ＴＶ放送時スポンサー情報取得手段は、前記ＴＶ放送時スポンサー情報として、前記ＴＶ放送時のスポンサーを識別する情報をさらに取得し、
前記ネット配信時スポンサー候補情報取得手段は、前記ネット配信時スポンサー候補情報として、前記ネット配信時のスポンサーの候補を識別する情報をさらに取得し、
前記ネット配信時スポンサー決定手段は、前記ＴＶ放送時のスポンサーと業種が同じであっても、前記ＴＶ放送時のスポンサーと一致する場合、当該候補を前記ネット配信時のスポンサーとして決定するスポンサー決定装置。
４．  １から３のいずれかに記載のスポンサー決定装置において、
複数の前記放送コンテンツの中から、１つを選択する入力を受付ける第１のユーザ入力受付手段と、
前記ネット配信時のスポンサーの前記候補の中から、１つを選択する入力を受付ける第２のユーザ入力受付手段と、
をさらに有し、
前記ＴＶ放送時スポンサー情報取得手段は、選択された前記放送コンテンツの前記ＴＶ放送時スポンサー情報を取得し、
前記ネット配信時スポンサー候補情報取得手段は、選択された前記候補の前記ネット配信時スポンサー候補情報を取得するスポンサー決定装置。
５．  １から３のいずれかに記載のスポンサー決定装置において、
前記ＴＶ放送時スポンサー情報取得手段は、ユーザ端末から、ＣＭコンテンツの動画ファイルの要求、及び、前記ＴＶ放送時スポンサー情報を取得し、
当該ＴＶ放送時スポンサー情報に基づいて前記ネット配信時スポンサー決定手段により決定された前記ネット配信時のスポンサーのＣＭコンテンツの動画ファイルを、前記ユーザ端末に返信するＣＭ動画ファイル返信手段をさらに有するスポンサー決定装置。
６．  放送コンテンツの動画ファイルを取得して前記放送コンテンツを表示するとともに、所定のタイミングで、ＣＭコンテンツの動画ファイルの要求、及び、前記放送コンテンツのＴＶ放送時のスポンサーの属性を示すＴＶ放送時スポンサー情報を外部装置に送信するユーザ端末と、
前記ユーザ端末から前記要求及び前記ＴＶ放送時スポンサー情報を取得すると、当該ＴＶ放送時スポンサー情報と、予め保持している前記放送コンテンツのネット配信時のスポンサーの候補の属性を示すネット配信時スポンサー候補情報とに基づいて、前記ネット配信時のスポンサーを決定し、決定したスポンサーのＣＭコンテンツの動画ファイルを前記ユーザ端末に返信するスポンサー決定装置と、
を有する放送コンテンツ配信システム。
７．  コンピュータが、
放送コンテンツのＴＶ放送時のスポンサーの属性を示すＴＶ放送時スポンサー情報を取得するＴＶ放送時スポンサー情報取得工程と、
前記放送コンテンツのネット配信時のスポンサーの候補の属性を示すネット配信時スポンサー候補情報を取得するネット配信時スポンサー候補情報取得工程と、
前記ＴＶ放送時スポンサー情報と、前記ネット配信時スポンサー候補情報とに基づいて、前記ネット配信時のスポンサーとして前記候補を採用するか否かを決定するネット配信時スポンサー決定工程と、
を実行するスポンサー決定方法。
７−２．  ７に記載のスポンサー決定方法において、
前記ＴＶ放送時スポンサー情報取得工程では、前記ＴＶ放送時スポンサー情報として、前記ＴＶ放送時のスポンサーの業種を示す情報を取得し、
前記ネット配信時スポンサー候補情報取得工程では、前記ネット配信時スポンサー候補情報として、前記ネット配信時のスポンサーの候補の業種を示す情報を取得し、
前記ネット配信時スポンサー決定工程では、前記ＴＶ放送時のスポンサーと業種が異なるスポンサーを、前記ネット配信時のスポンサーとして決定するスポンサー決定方法。
７−３．  ７−２に記載のスポンサー決定方法において、
前記ＴＶ放送時スポンサー情報取得工程では、前記ＴＶ放送時スポンサー情報として、前記ＴＶ放送時のスポンサーを識別する情報をさらに取得し、
前記ネット配信時スポンサー候補情報取得工程では、前記ネット配信時スポンサー候補情報として、前記ネット配信時のスポンサーの候補を識別する情報をさらに取得し、
前記ネット配信時スポンサー決定工程では、前記ＴＶ放送時のスポンサーと業種が同じであっても、前記ＴＶ放送時のスポンサーと一致する場合、当該候補を前記ネット配信時のスポンサーとして決定するスポンサー決定方法。
７−４．  ７から７−３のいずれかに記載のスポンサー決定方法において、
前記コンピュータが、
複数の前記放送コンテンツの中から、１つを選択する入力を受付ける第１のユーザ入力受付工程と、
前記ネット配信時のスポンサーの前記候補の中から、１つを選択する入力を受付ける第２のユーザ入力受付工程と、
をさらに実行し、
前記ＴＶ放送時スポンサー情報取得工程では、選択された前記放送コンテンツの前記ＴＶ放送時スポンサー情報を取得し、
前記ネット配信時スポンサー候補情報取得工程では、選択された前記候補の前記ネット配信時スポンサー候補情報を取得するスポンサー決定方法。
７−５．  ７から７−３のいずれかに記載のスポンサー決定方法において、
前記ＴＶ放送時スポンサー情報取得工程では、ユーザ端末から、ＣＭコンテンツの動画ファイルの要求、及び、前記ＴＶ放送時スポンサー情報を取得し、
前記コンピュータが、当該ＴＶ放送時スポンサー情報に基づいて前記ネット配信時スポンサー決定工程で決定された前記ネット配信時のスポンサーのＣＭコンテンツの動画ファイルを、前記ユーザ端末に返信するＣＭ動画ファイル返信工程をさらに実行するスポンサー決定方法。
８．  コンピュータを、
放送コンテンツのＴＶ放送時のスポンサーの属性を示すＴＶ放送時スポンサー情報を取得するＴＶ放送時スポンサー情報取得手段、
前記放送コンテンツのネット配信時のスポンサーの候補の属性を示すネット配信時スポンサー候補情報を取得するネット配信時スポンサー候補情報取得手段、
前記ＴＶ放送時スポンサー情報と、前記ネット配信時スポンサー候補情報とに基づいて、前記ネット配信時のスポンサーとして前記候補を採用するか否かを決定するネット配信時スポンサー決定手段、
として機能させるためのプログラム。
８−２．  ８に記載のプログラムにおいて、
前記ＴＶ放送時スポンサー情報取得手段に、前記ＴＶ放送時スポンサー情報として、前記ＴＶ放送時のスポンサーの業種を示す情報を取得させ、
前記ネット配信時スポンサー候補情報取得手段に、前記ネット配信時スポンサー候補情報として、前記ネット配信時のスポンサーの候補の業種を示す情報を取得させ、
前記ネット配信時スポンサー決定手段に、前記ＴＶ放送時のスポンサーと業種が異なるスポンサーを、前記ネット配信時のスポンサーとして決定させるプログラム。
８−３．  ８−２に記載のプログラムにおいて、
前記ＴＶ放送時スポンサー情報取得手段に、前記ＴＶ放送時スポンサー情報として、前記ＴＶ放送時のスポンサーを識別する情報をさらに取得させ、
前記ネット配信時スポンサー候補情報取得手段に、前記ネット配信時スポンサー候補情報として、前記ネット配信時のスポンサーの候補を識別する情報をさらに取得させ、
前記ネット配信時スポンサー決定手段に、前記ＴＶ放送時のスポンサーと業種が同じであっても、前記ＴＶ放送時のスポンサーと一致する場合、当該候補を前記ネット配信時のスポンサーとして決定させるプログラム。
８−４．  ８から８−３のいずれかに記載のプログラムにおいて、
前記コンピュータを、
複数の前記放送コンテンツの中から、１つを選択する入力を受付ける第１のユーザ入力受付手段、
前記ネット配信時のスポンサーの前記候補の中から、１つを選択する入力を受付ける第２のユーザ入力受付手段、
としてさらに機能させ、
前記ＴＶ放送時スポンサー情報取得手段に、選択された前記放送コンテンツの前記ＴＶ放送時スポンサー情報を取得させ、
前記ネット配信時スポンサー候補情報取得手段に、選択された前記候補の前記ネット配信時スポンサー候補情報を取得させるプログラム。
８−５．  ８から８−３のいずれかに記載のプログラムにおいて、
前記ＴＶ放送時スポンサー情報取得手段に、ユーザ端末から、ＣＭコンテンツの動画ファイルの要求、及び、前記ＴＶ放送時スポンサー情報を取得させ、
前記コンピュータを、当該ＴＶ放送時スポンサー情報に基づいて前記ネット配信時スポンサー決定手段により決定された前記ネット配信時のスポンサーのＣＭコンテンツの動画ファイルを、前記ユーザ端末に返信するＣＭ動画ファイル返信手段としてさらに機能させるプログラム。
【符号の説明】
【０１２２】
１Ａ    ＣＰＵ
２Ａ    ＲＡＭ
３Ａ    ＲＯＭ
４Ａ    表示制御部
５Ａ    ディスプレイ
６Ａ    操作受付部
７Ａ    操作部
８Ａ    通信部
９Ａ    補助記憶装置
１０Ａ  バス
１０    ユーザ端末
２０    管理装置
２１    視聴要求受信部
２２    返信部
３０    本編配信装置
４０    第１のＣＭ配信装置
４１    ＣＭ要求受信部
４２    ＣＭ返信部
５０    第２のＣＭ配信装置
６０    ネットワーク
７０    設定装置
１００  スポンサー決定装置
１０１  ＴＶ放送時スポンサー情報取得部
１０２  ネット配信時スポンサー候補情報取得部
１０３  ネット配信時スポンサー決定部
１０４  第１のユーザ入力受付部
１０５  第２のユーザ入力受付部
１０６  ＣＭ動画ファイル返信部
【図１】
0006554822.tif 000002
【図２】
0006554822.tif 000003
【図３】
0006554822.tif 000004
【図４】
0006554822.tif 000005
【図５】
0006554822.tif 000006
【図６】
0006554822.tif 000007
【図７】
0006554822.tif 000008
【図８】
0006554822.tif 000009
【図９】
0006554822.tif 000010
【図１０】
0006554822.tif 000011
【図１１】
0006554822.tif 000012
【図１２】
0006554822.tif 000013
【図１３】
0006554822.tif 000014
【図１４】
0006554822.tif 000015
【図１５】
0006554822.tif 000016
【図１６】
0006554822.tif 000017
【図１７】
0006554822.tif 000018
【図１８】
0006554822.tif 000019